(57)【特許請求の範囲】
【請求項１】
被印字媒体を搬送する搬送手段と、
前記搬送手段により搬送される前記被印字媒体に印字を形成する印字手段と、
内容が互いに異なる複数種類のコンテンツをコンテンツ供給装置から取得可能な不揮発性のストレージデバイスを、着脱可能な作成装置側着脱部と、
を有する印字ラベル作成装置であって、
前記作成装置側着脱部に前記ストレージデバイスが装着されたか否かを判定する装着判定手段と、
前記装着判定手段により前記ストレージデバイスが装着されたと判定されたとき、その装着された状態の前記ストレージデバイスに対して、当該印字ラベル作成装置に好適な前記コンテンツを選抜するための固有の選抜材料情報を書き込む、選抜情報書き込み手段と、
前記作成装置側着脱部から取り外された状態で前記コンテンツ供給装置から供給された前記コンテンツを記憶した前記ストレージデバイスが、前記装着判定手段により前記作成装置側着脱部に装着されたと判定されたとき、当該ストレージデバイスに記憶されかつ前記選抜材料情報に対応したコンテンツを取得するコンテンツ取得手段と
を有し、
前記選抜材料情報は、当該印字ラベル作成装置の機種、当該印字ラベル作成装置のシリアル番号、当該印字ラベル作成装置での印字ラベル作成履歴におけるラベル属性情報、及び、当該印字ラベル作成装置での印字ラベル作成履歴における作成作業情報、を含む
ことを特徴とする印字ラベル作成装置。
【請求項２】
請求項１記載の印字ラベル作成装置において、
前記コンテンツ取得手段は、
前記コンテンツ供給装置から供給された前記コンテンツを記憶した前記ストレージデバイスが、前記装着判定手段により前記作成装置側着脱部に装着されたと判定されたとき、当該ストレージデバイスに記憶された複数種類のコンテンツのうち、前記選抜材料情報に対応したコンテンツのみを取得する
ことを特徴とする印字ラベル作成装置。
【請求項３】
操作者が操作可能な操作手段と、所定の表示を行う表示手段と、内容が互いに異なる複数種類のコンテンツを読み取り可能に記憶した記憶手段と、印字ラベル作成装置に対し着脱される不揮発性のストレージデバイスを着脱可能な供給装置側着脱部と、演算手段と、を備えたコンテンツ供給装置の、前記演算手段に対し、
前記供給装置側着脱部に前記ストレージデバイスが装着されたか否かを判定する装着判定手順と、
前記装着判定手順で前記供給装置側着脱部に前記ストレージデバイスが装着されたと判定されたとき、前記ストレージデバイスに記憶された、前記印字ラベル作成装置に好適な前記コンテンツを選抜するための固有の選抜材料情報を取得する、選抜情報取得手順と、
前記記憶手段に記憶された前記複数種類のコンテンツのうち、前記選抜情報取得手順で取得された前記選抜材料情報に対応するコンテンツを選抜して、前記供給装置側着脱部に装着された状態の前記ストレージデバイスに書き込む、コンテンツ書き込み手順と、
前記装着判定手順で前記供給装置側着脱部に前記ストレージデバイスが装着されたと判定され、かつ、前記選抜情報取得手順で前記選抜材料情報が取得できなかった場合に、対応する警告表示を行うための表示制御信号を前記表示手段に出力する警告表示手順と、
を実行させるためのコンテンツ処理プログラム。
【請求項４】
請求項３記載のコンテンツ処理プログラムにおいて、
前記選抜情報取得手順は、
前記ストレージデバイスに記憶された、複数の前記印字ラベル作成装置それぞれに対応した複数の前記選抜材料情報を取得し、
前記コンテンツ書き込み手順は、
前記選抜情報取得手順で取得された前記複数の選抜材料情報に対応するコンテンツを、各印字ラベル作成装置が自らに対応するコンテンツのみを取得可能となるように、前記ストレージデバイスに書き込む
ことを特徴とするコンテンツ処理プログラム。
【請求項５】
請求項３又は請求項４記載のコンテンツ処理プログラムにおいて、
所定のウェブサーバに情報送受信可能に接続された前記コンテンツ供給装置としての操作端末の、前記演算手段としてのＣＰＵに対し、前記装着判定手順、前記選抜情報取得手順、及び前記コンテンツ書き込み手順、を少なくとも実行させることを特徴とするコンテンツ処理プログラム。
【請求項６】
被印字媒体に印字を形成して印字ラベルを作成する印字ラベル作成装置に備えられた作成装置側着脱部に、不揮発性のストレージデバイスが装着されたか否かを判定する第１判定手順と、
前記第１判定手順で前記ストレージデバイスが前記印字ラベル作成装置の前記作成装置側着脱部に装着されたと判定されたとき、その装着された状態の前記ストレージデバイスに対して、当該印字ラベル作成装置に好適な前記コンテンツを選抜するための固有の選抜材料情報を書き込む、選抜情報書き込み手順と、
前記選抜情報書き込み手順で書き込まれた前記選抜材料情報を記憶した前記ストレージデバイスが、コンテンツ供給装置に備えられた供給装置側着脱部に装着されたか否かを判定する第２判定手順と、
前記第２判定手順で前記供給装置側着脱部に前記ストレージデバイスが装着されたと判定されたとき、前記コンテンツ供給装置の記憶手段に記憶された、内容が互いに異なる複数種類のコンテンツのうち少なくとも一部を、前記供給装置側着脱部に装着された状態の  前記ストレージデバイスに書き込む、コンテンツ書き込み手順と、
前記コンテンツ書き込み手順で書き込まれた前記コンテンツを記憶した前記ストレージデバイスが、前記印字ラベル作成装置の前記作成装置側着脱部に装着されたか否かを判定する第３判定手順と、
前記第３判定手順で前記ストレージデバイスが前記作成装置側着脱部に装着されたと判定されたとき、当該ストレージデバイスに記憶されたコンテンツのうち、少なくとも一部を取得するコンテンツ取得手順と
を有し、
かつ、
前記コンテンツ書き込み手順で、前記コンテンツ供給装置の記憶手段に記憶された前記複数種類のコンテンツのうち、前記ストレージデバイスから取得された前記選抜材料情報に対応するコンテンツを選抜する、第１選抜処理、
及び、
前記コンテンツ取得手順で、前記ストレージデバイスに記憶された前記複数種類のコンテンツのうち、前記選抜材料情報に対応するコンテンツを選抜する、第２選抜処理、
のうち、少なくとも一方の選抜処理を実行するコンテンツ処理方法であって、
前記選抜材料情報は、当該印字ラベル作成装置の機種、当該印字ラベル作成装置のシリアル番号、当該印字ラベル作成装置での印字ラベル作成履歴におけるラベル属性情報、及び、当該印字ラベル作成装置での印字ラベル作成履歴における作成作業情報、を含む
ことを特徴とするコンテンツ処理方法。
【請求項７】
被印字媒体に印字を形成して印字ラベルを作成する第１印字ラベル作成装置に備えられた作成装置側着脱部に、不揮発性のストレージデバイスが装着されたか否かを判定する第１作成装置側判定手順と、
第１作成装置側判定手順で前記ストレージデバイスが前記第１印字ラベル作成装置の前記作成装置側着脱部に装着されたと判定されたとき、その装着された状態の前記ストレージデバイスに対して、当該第１印字ラベル作成装置に好適な前記コンテンツを選抜するための固有の第１選抜材料情報を書き込む、第１選抜情報書き込み手順と、
前記第１選抜情報書き込み手順で前記第１選抜材料情報が書き込まれた前記ストレージデバイスが前記第１印字ラベル作成装置の前記作成装置側着脱部から取り外された後、被印字媒体に印字を形成して印字ラベルを作成する第２印字ラベル作成装置に備えられた作成装置側着脱部に、当該ストレージデバイスが装着されたか否かを判定する第２作成装置側判定手順と、
第２作成装置側判定手順で前記ストレージデバイスが前記第２印字ラベル作成装置の前記作成装置側着脱部に装着されたと判定されたとき、その装着された状態の前記ストレージデバイスに対して、当該第２印字ラベル作成装置に好適な前記コンテンツを選抜するための固有の第２選抜材料情報を書き込む、第２選抜情報書き込み手順と、
前記第１選抜情報書き込み手順で前記第１選抜材料情報が書き込まれた前記ストレージデバイスが前記第１印字ラベル作成装置の前記作成装置側着脱部から取り外された後、前記第１印字ラベル作成装置において前記第１選抜材料情報の内容を少なくとも一部変更して第３選抜材料情報とする選抜情報更新手順と、
前記第１及び第２選抜情報書き込み手順で書き込まれた前記第１及び第２選抜材料情報を記憶した前記ストレージデバイスが、コンテンツ供給装置に備えられた供給装置側着脱部に装着されたか否かを判定する供給装置側判定手順と、
前記供給装置側判定手順で前記供給装置側着脱部に前記ストレージデバイスが装着されたと判定されたとき、前記コンテンツ供給装置の記憶手段に記憶された、内容が互いに異なる複数種類のコンテンツのうち、前記ストレージデバイスから取得された前記第１及び前記第２選抜材料情報に対応するコンテンツを選抜して、前記供給装置側着脱部に装着された状態の前記ストレージデバイスに書き込む、コンテンツ書き込み手順と、
前記コンテンツ書き込み手順で書き込まれた前記コンテンツを記憶した前記ストレージデバイスが、前記第２印字ラベル作成装置の前記作成装置側着脱部に装着されたか否かを判定する第３作成装置側判定手順と、
前記第３作成装置側判定手順で前記ストレージデバイスが前記第２印字ラベル作成装置の前記作成装置側着脱部に装着されたと判定されたとき、当該ストレージデバイスに記憶されたコンテンツのうち、前記第２選抜材料情報に対応したコンテンツを取得する第１コンテンツ取得手順と、
前記第１コンテンツ取得手順での前記コンテンツの取得が完了した後に前記第２印字ラベル作成装置の前記作成装置側着脱部から取り外された前記ストレージデバイスが、前記第１印字ラベル作成装置の前記作成装置側着脱部に装着されたか否かを判定する第４作成装置側判定手順と、
前記第４作成装置側判定手順で前記ストレージデバイスが前記第１印字ラベル作成装置の前記作成装置側着脱部に装着されたと判定されたとき、前記第２選抜材料情報に対応して当該ストレージデバイスに記憶されたコンテンツに前記第３選抜材料情報に対応したコンテンツが含まれていた場合は、当該第３選抜材料情報に対応したコンテンツを取得する第２コンテンツ取得手順と、
を有し、
前記第１選抜材料情報及び前記第３選抜材料情報は、当該第１印字ラベル作成装置の機種、当該第１印字ラベル作成装置のシリアル番号、当該第１印字ラベル作成装置での印字ラベル作成履歴におけるラベル属性情報、及び、当該第１印字ラベル作成装置での印字ラベル作成履歴における作成作業情報、を含み、
前記第２選抜材料情報は、当該第２印字ラベル作成装置の機種、当該第２印字ラベル作成装置のシリアル番号、当該第２印字ラベル作成装置での印字ラベル作成履歴におけるラベル属性情報、及び、当該第２印字ラベル作成装置での印字ラベル作成履歴における作成作業情報、を含む
ことを特徴とするコンテンツ処理方法。
【発明の詳細な説明】
【技術分野】
【０００１】
本発明は、適宜のコンテンツを用いて印字を行う印字ラベル作成装置、及び、そのコンテンツ係わるコンテンツ処理プログラム並びにテンプレート処理方法に関する。
【背景技術】
【０００２】
被印字媒体に対し所望の印刷を行って印字ラベルを作成する、印字ラベル作成装置が知られている（例えば、特許文献１参照）。この従来技術の印字ラベル作成装置では、印字手段（サーマルヘッド）によって印字データに対応した印字が被印字媒体（ラミネートフィルム）に対し実行され、印字ラベルが作成される。また、印字ラベルに印字するテキストや図像等の印字オブジェクトを操作者がすべてマニュアルで設定する煩雑さを回避するために、この従来技術では、複数の印字オブジェクト配置枠が所定の態様で割り付けられた、いわゆるテンプレートが複数種類用意されている。操作者は、自らが意図する印字態様に適したテンプレートを選択し、当該テンプレートにおける印字オブジェクト配置枠に対し、所望のテキスト等を割り当てることにより、容易に所望の印字ラベルを作成することができる。
【０００３】
上記のような煩雑さを回避し利便性を向上するために、上記テンプレート以外にも、その他のラベル作成に関連して使用される画像や、ＯＳやアプリケーションや各種ドライバ等のソフトウェア、などが適宜用いられる場合もある（以下適宜、これらテンプレート、画像、ソフトウェア等を「コンテンツ」と総称する）。
【先行技術文献】
【特許文献】
【０００４】
【特許文献１】特開２００６−９９２６１号公報
【発明の概要】
【発明が解決しようとする課題】
【０００５】
しかしながら、上記従来技術においては、以下の課題が存在する。すなわち、上記コンテンツを用いる際には、予め多数の上記コンテンツが格納された外部サーバやパソコン等のコンテンツ供給装置と印字ラベル作成装置とが、直接接続される。その後、印字ラベル作成装置によってコンテンツ供給装置からのコンテンツの取得が行われる。その際、操作者は、コンテンツ供給装置に記憶されている膨大なコンテンツの中から印字ラベル作成装置に好適なコンテンツを手動操作で見つけ出して特定した後、その特定したコンテンツを印字ラベル作成装置へ取得させる操作を行う必要がある。このような面倒な操作が必要となることで操作者の労力負担が大きくなり、不便であった。
【０００６】
本発明の目的は、コンテンツ供給装置から印字ラベル作成装置へのコンテンツ取得時における操作者の操作労力負担を軽減し、利便性を向上できる印字ラベル作成装置、コンテンツ処理プログラム、及びコンテンツ処理方法を提供することにある。
【課題を解決するための手段】
【０００７】
上記目的を達成するために、本願発明は、被印字媒体を搬送する搬送手段と、前記搬送手段により搬送される前記被印字媒体に印字を形成する印字手段と、内容が互いに異なる複数種類のコンテンツをコンテンツ供給装置から取得可能な不揮発性のストレージデバイスを、着脱可能な作成装置側着脱部と、を有する印字ラベル作成装置であって、前記作成装置側着脱部に前記ストレージデバイスが装着されたか否かを判定する装着判定手段と、前記装着判定手段により前記ストレージデバイスが装着されたと判定されたとき、その装着された状態の前記ストレージデバイスに対して、当該印字ラベル作成装置に好適な前記コンテンツを選抜するための固有の選抜材料情報を書き込む、選抜情報書き込み手段と、前記作成装置側着脱部から取り外された状態で前記コンテンツ供給装置から供給された前記コンテンツを記憶した前記ストレージデバイスが、前記装着判定手段により前記作成装置側着脱部に装着されたと判定されたとき、当該ストレージデバイスに記憶されかつ前記選抜材料情報に対応したコンテンツを取得するコンテンツ取得手段とを有し、前記選抜材料情報は、当該印字ラベル作成装置の機種、当該印字ラベル作成装置のシリアル番号、当該印字ラベル作成装置での印字ラベル作成履歴におけるラベル属性情報、及び、当該印字ラベル作成装置での印字ラベル作成履歴における作成作業情報、を含むことを特徴とする。
【０００８】
本願発明においては、印字ラベルを作成する印字ラベル作成装置に、不揮発性のストレージデバイスを着脱可能な着脱部（作成装置側着脱部）が設けられている。そして、操作者は、上記ストレージデバイスを媒体として用いることで、印字ラベル作成のために使用されるテンプレートや各種ソフトウェア等のコンテンツを供給可能なコンテンツ供給装置と上記印字ラベル作成装置との間で、各種の情報や上記コンテンツとの送受を行うことができる。
【０００９】
すなわち、まず、判定手段により、上記作成装置側着脱部に、上記ストレージデバイスが装着されたか否かが判定される。判定が満たされると、選抜情報書き込み手段が、装着された状態のストレージデバイスに対し、当該印字ラベル作成装置に好適なコンテンツを選抜するための固有の選抜材料情報を書き込む。具体的には、例えば、当該印字ラベル作成装置の機種・シリアル番号や、当該印字ラベル作成装置での過去のラベル作成履歴において頻度が高かったラベル属性情報（使用された被印字テープのテープ幅・文字色・テープ色等）や、当該印字ラベル作成装置での印字ラベル作成履歴における作成作業情報（ラベル印刷回数や使用したコンテンツのカテゴリ等）が、書き込まれる。
【００１０】
このように選抜材料情報が書き込まれた後、操作者は、ストレージデバイスを印字ラベル作成装置の作成装置側着脱部から取り外し、コンテンツ供給装置に装着する。コンテンツ供給装置には、内容が互いに異なる複数種類のコンテンツが記憶されており、それら複数種類のコンテンツのうち少なくとも一部がストレージデバイスに書き込まれる。
【００１１】
このようにしてコンテンツが書き込まれた後、操作者は、ストレージデバイスを再び印字ラベル作成装置の作成装置側着脱部に装着する。これにより、装着判定手段による、作成装置側着脱部へのストレージデバイスの装着に関する判定が満たされる。この結果、コンテンツ取得手段が、上記のようにコンテンツ供給装置からストレージデバイスに書き込まれ記憶されているコンテンツを、取得する。
【００１２】
以上のようにして、コンテンツ供給装置からストレージデバイスがコンテンツを取得して記憶し、そのストレージデバイスから印字ラベル作成装置がコンテンツを取得する。このようにストレージデバイスを媒体として用いることで、上記コンテンツ供給装置と上記印字ラベル作成装置との間で有線・無線による各種接続を行わなくても、それらの間における各種の情報や上記コンテンツの送受を手軽に行うことができる。
【００１３】
そして上記のようにコンテンツの媒介を行うとき、ストレージデバイスに、印字ラベル作成装置から当該印字ラベル作成装置に固有の選抜材料情報が書き込まれる。そして、この選抜材料情報を活用することで、コンテンツ供給装置からのコンテンツをストレージデバイスを介し印字ラベル作成装置に導入するとき、当該印字ラベル作成装置にとって好適なコンテンツのみを（あるいは好適なコンテンツを優先的に）導入することができる。
【００１４】
すなわち、本願発明においては、コンテンツ取得手段は、当該取得の時点でコンテンツ供給装置からストレージデバイスに書き込まれ記憶済みの複数種類のコンテンツの中から、上記選抜材料情報に対応するコンテンツを選抜しつつ取得を行う。これにより、印字ラベル作成装置にとって好適なコンテンツに絞り込んだ又は優先した態様（言い換えれば不要なコンテンツを排除又は非優先とした態様）で、コンテンツの上記取得が行われる。この結果、印字ラベル作成装置内におけるコンテンツ記憶容量が少ない場合であっても、操作者が使用する可能性が高いコンテンツを確実に印字ラベル作成装置へ導入して使用することができる。
【００１５】
また、印字ラベル作成装置とコンテンツ供給装置とを直接接続してコンテンツ送受を行う通常の手法では、操作者は、コンテンツ供給装置に記憶されている膨大なコンテンツの中から印字ラベル作成装置に好適なコンテンツを手動操作で見つけ出して特定した後、その特定したコンテンツを印字ラベル作成装置へ取得させる操作を行う必要がある。これに対して本願第１発明では、上述の選抜材料情報の活用によって上述のような面倒な操作が不要となる結果、操作者にとっての操作労力を著しく低減し、利便性を向上することができる。
【００１６】
さらに、上述のようにして印字ラベル作成装置の作成装置側着脱部に装着して印字ラベル作成装置にコンテンツを導入した後、印字ラベルの作成を実行することで、上述の選抜材料情報を新たに更新することもできる。この場合、操作者は、上記印字ラベルの作成終了後に、上記更新された選抜材料情報を記憶したストレージデバイスを作成装置側着脱部から取り外す。これにより、上記更新された選抜材料情報を用いて、再び、上述のようにして、コンテンツ供給装置から印字ラベル作成装置へのコンテンツ送受の媒介を行うことができる。これを繰り返すことで、印字ラベル作成装置を使用する都度、その時点で印字ラベル作成装置に対し最適なコンテンツを、確実にコンテンツ供給装置から印字ラベル作成装置へと導入することもできる。
【００１７】
また、上記目的を達成するために、本願発明のコンテンツ処理プログラムは、操作者が操作可能な操作手段と、所定の表示を行う表示手段と、内容が互いに異なる複数種類のコンテンツを読み取り可能に記憶した記憶手段と、印字ラベル作成装置に対し着脱される不揮発性のストレージデバイスを着脱可能な供給装置側着脱部と、演算手段と、を備えたコンテンツ供給装置の、前記演算手段に対し、前記供給装置側着脱部に前記ストレージデバイスが装着されたか否かを判定する装着判定手順と、前記装着判定手順で前記供給装置側着脱部に前記ストレージデバイスが装着されたと判定されたとき、前記ストレージデバイスに記憶された、前記印字ラベル作成装置に好適な前記コンテンツを選抜するための固有の選抜材料情報を取得する、選抜情報取得手順と、前記記憶手段に記憶された前記複数種類のコンテンツのうち、前記選抜情報取得手順で取得された前記選抜材料情報に対応するコンテンツを選抜して、前記供給装置側着脱部に装着された状態の前記ストレージデバイスに書き込む、コンテンツ書き込み手順と、前記装着判定手順で前記供給装置側着脱部に前記ストレージデバイスが装着されたと判定され、かつ、前記選抜情報取得手順で前記選抜材料情報が取得できなかった場合に、対応する警告表示を行うための表示制御信号を前記表示手段に出力する警告表示手順と、を実行させる。
【００１８】
本願発明においては、印字ラベル作成装置での印字ラベル作成のために使用されるテンプレートや各種ソフトウェア等のコンテンツを供給可能なコンテンツ供給装置に、上記印字ラベル作成装置に着脱される不揮発性のストレージデバイスを着脱可能な着脱部（供給装置側着脱部）が設けられている。操作者は、上記ストレージデバイスを媒体として用いることで、上記コンテンツ供給装置と上記印字ラベル作成装置との間で各種の情報や上記コンテンツとの送受を行うことができる。
【００１９】
すなわち、本願発明においては、まず、印字ラベル作成装置への装着時において当該印字ラベル作成装置に好適なコンテンツを選抜するための固有の選抜材料情報が書き込まれた、ストレージデバイスが、供給装置側着脱部に装着される。選抜材料情報は、具体的には、例えば、当該印字ラベル作成装置の機種・シリアル番号や、当該印字ラベル作成装置での過去のラベル作成履歴において頻度が高かったラベル属性情報（使用された被印字テープのテープ幅・文字色・テープ色等）や、当該印字ラベル作成装置での印字ラベル作成履歴における作成作業情報（ラベル印刷回数や使用したコンテンツのカテゴリ等）である。
【００２０】
このとき、記憶手段には、内容が互いに異なる複数種類のコンテンツが記憶されている。上記のようにして操作者により供給装置側着脱部にストレージデバイスが装着されると、装着判定手順での供給装置側着脱部へのストレージデバイスの装着に関する判定が満たされる。この結果、選抜情報取得手順（詳細は後述）を経た後のコンテンツ書き込み手順で、上記のように記憶手段に記憶されたコンテンツが、上記供給装置側着脱部に装着されたストレージデバイスに書き込まれる。このようにしてコンテンツが書き込まれた後、操作者は、ストレージデバイスをコンテンツ供給装置の供給装置側着脱部から取り外し、再び印字ラベル作成装置に装着する。これにより、上記のようにストレージデバイスに書き込まれ記憶されているコンテンツが、印字ラベル作成装置側に取得される。
【００２１】
以上のようにして、コンテンツ供給装置からストレージデバイスがコンテンツを取得して記憶し、そのストレージデバイスから印字ラベル作成装置がコンテンツを取得する。このようにストレージデバイスを媒体として用いることで、上記コンテンツ供給装置と上記印字ラベル作成装置との間で有線・無線による各種接続を行わなくても、それらの間における各種の情報や上記コンテンツの送受を手軽に行うことができる。
【００２２】
そして上記のようにコンテンツの媒介を行うとき、ストレージデバイスは、印字ラベル作成装置に固有の選抜材料情報を記憶している。そして、この選抜材料情報を活用することで、コンテンツ供給装置からストレージデバイスを介し印字ラベル作成装置にコンテンツを導入するとき、当該印字ラベル作成装置にとって好適なコンテンツのみを（あるいは好適なコンテンツを優先的に）導入することができる。
【００２３】
すなわち、本願発明においては、上記コンテンツ書き込み手順では、コンテンツ供給装置の記憶手段に記憶された複数種類のコンテンツの中から、ストレージデバイスに記憶されている上記選抜材料情報に対応するコンテンツを選抜しつつ、上記書き込みが行われる。これにより、コンテンツ供給装置からストレージデバイスがコンテンツを取得する時点で、印字ラベル作成装置にとって好適なコンテンツに絞り込んだ又は優先した態様（言い換えれば不要なコンテンツを排除又は非優先とした態様）で、コンテンツの上記取得が行われる。この結果、印字ラベル作成装置内におけるコンテンツ記憶容量が少ない場合であっても、操作者が使用する可能性が高いコンテンツを確実に印字ラベル作成装置へ導入して使用することができる。
【００２４】
また、印字ラベル作成装置とコンテンツ供給装置とを直接接続してコンテンツ送受を行う通常の手法では、操作者は、コンテンツ供給装置に記憶されている膨大なコンテンツの中から印字ラベル作成装置に好適なコンテンツを手動操作で見つけ出して特定した後、その特定したコンテンツを印字ラベル作成装置へ取得させる操作を行う必要がある。これに対して本願第４発明では、上述の選抜材料情報の活用によって上述のような面倒な操作が不要となる結果、操作者にとっての操作労力を著しく低減し、利便性を向上することができる。
【００２５】
さらに、上述のようにして印字ラベル作成装置に装着して印字ラベル作成装置にコンテンツを導入した後、印字ラベルの作成を実行することで、上述の選抜材料情報を新たに更新することもできる。この場合、操作者は、上記印字ラベルの作成終了後に、上記更新された選抜材料情報を記憶したストレージデバイスを取り外す。これにより、上記更新された選抜材料情報を用いて、再び、上述のようにして、コンテンツ供給装置から印字ラベル作成装置へのコンテンツ送受の媒介を行うことができる。これを繰り返すことで、印字ラベル作成装置を使用する都度、その時点で印字ラベル作成装置に対し最適なコンテンツを、確実にコンテンツ供給装置から印字ラベル作成装置へと導入することもできる。
【００２６】
上記目的を達成するために、本願発明のコンテンツ処理方法は、被印字媒体に印字を形成して印字ラベルを作成する印字ラベル作成装置に備えられた作成装置側着脱部に、不揮発性のストレージデバイスが装着されたか否かを判定する第１判定手順と、前記第１判定手順で前記ストレージデバイスが前記印字ラベル作成装置の前記作成装置側着脱部に装着されたと判定されたとき、その装着された状態の前記ストレージデバイスに対して、当該印字ラベル作成装置に好適な前記コンテンツを選抜するための固有の選抜材料情報を書き込む、選抜情報書き込み手順と、前記選抜情報書き込み手順で書き込まれた前記選抜材料情報を記憶した前記ストレージデバイスが、コンテンツ供給装置に備えられた供給装置側着脱部に装着されたか否かを判定する第２判定手順と、前記第２判定手順で前記供給装置側着脱部に前記ストレージデバイスが装着されたと判定されたとき、前記コンテンツ供給装置の記憶手段に記憶された、内容が互いに異なる複数種類のコンテンツのうち少なくとも一部を、前記供給装置側着脱部に装着された状態の前記ストレージデバイスに書き込む、コンテンツ書き込み手順と、前記コンテンツ書き込み手順で書き込まれた前記コンテンツを記憶した前記ストレージデバイスが、前記印字ラベル作成装置の前記作成装置側着脱部に装着されたか否かを判定する第３判定手順と、前記第３判定手順で前記ストレージデバイスが前記作成装置側着脱部に装着されたと判定されたとき、当該ストレージデバイスに記憶されたコンテンツのうち、少なくとも一部を取得するコンテンツ取得手順とを有し、かつ、前記コンテンツ書き込み手順で、前記コンテンツ供給装置の記憶手段に記憶された前記複数種類のコンテンツのうち、前記ストレージデバイスから取得された前記選抜材料情報に対応するコンテンツを選抜する、第１選抜処理、及び、前記コンテンツ取得手順で、前記ストレージデバイスに記憶された前記複数種類のコンテンツのうち、前記選抜材料情報に対応するコンテンツを選抜する、第２選抜処理、のうち、少なくとも一方の選抜処理を実行するコンテンツ処理方法であって、前記選抜材料情報は、当該印字ラベル作成装置の機種、当該印字ラベル作成装置のシリアル番号、当該印字ラベル作成装置での印字ラベル作成履歴におけるラベル属性情報、及び、当該印字ラベル作成装置での印字ラベル作成履歴における作成作業情報、を含むことを特徴とする。
【００２７】
本願発明においては、印字ラベルを作成する印字ラベル作成装置に、不揮発性のストレージデバイスを着脱可能な着脱部（作成装置側着脱部）が設けられている。また、印字ラベル作成のために使用されるテンプレートや各種ソフトウェア等のコンテンツを供給可能なコンテンツ供給装置にも、上記不揮発性のストレージデバイスを着脱可能な着脱部（供給装置側着脱部）が設けられている。操作者は、上記ストレージデバイスを媒体として用いることで、上記コンテンツ供給装置と上記印字ラベル作成装置との間で各種の情報や上記コンテンツとの送受を行うことができる。
【００２８】
すなわち、本願発明においては、まず、第１判定手順で、印字ラベル作成装置の上記作成装置側着脱部に、上記ストレージデバイスが装着されたか否かが判定される。判定が満たされると、その後の選抜情報書き込み手順で、装着された状態のストレージデバイスに対し、当該印字ラベル作成装置に好適なコンテンツを選抜するための固有の選抜材料情報が書き込まれる。具体的には、例えば、当該印字ラベル作成装置の機種・シリアル番号や、当該印字ラベル作成装置での過去のラベル作成履歴において頻度が高かったラベル属性情報（使用された被印字テープのテープ幅・文字色・テープ色等）や、当該印字ラベル作成装置での印字ラベル作成履歴における作成作業情報（ラベル印刷回数や使用したコンテンツのカテゴリ等）が、書き込まれる。
【００２９】
このように選抜材料情報が書き込まれた後、操作者は、ストレージデバイスを印字ラベル作成装置の作成装置側着脱部から取り外し、コンテンツ供給装置の供給装置側着脱部に装着する。コンテンツ供給装置の記憶手段には、内容が互いに異なる複数種類のコンテンツが記憶されている。上記のようにして供給装置側着脱部にストレージデバイスが装着されると、第２判定手順での供給装置側着脱部へのストレージデバイスの装着に関する判定が満たされる。この結果、コンテンツ書き込み手順で、上記のようにコンテンツ供給装置の記憶手段に記憶された複数種類のコンテンツのうち少なくとも一部が、供給装置側着脱部に装着されたストレージデバイスに書き込まれる。
【００３０】
このようにしてコンテンツが書き込まれた後、操作者は、ストレージデバイスをコンテンツ供給装置の供給装置側着脱部から取り外し、再び印字ラベル作成装置の作成装置側着脱部に装着する。これにより、第３判定手順での作成装置側着脱部へのストレージデバイスの装着に関する判定が満たされる。この結果、コンテンツ取得手順で、上記のようにストレージデバイスに書き込まれ記憶されているコンテンツのうち少なくとも一部が、印字ラベル作成装置側に取得される。
【００３１】
以上のようにして、コンテンツ供給装置からストレージデバイスがコンテンツを取得して記憶し、そのストレージデバイスから印字ラベル作成装置がコンテンツを取得する。このようにストレージデバイスを媒体として用いることで、上記コンテンツ供給装置と上記印字ラベル作成装置との間で有線・無線による各種接続を行わなくても、それらの間における各種の情報や上記コンテンツの送受を手軽に行うことができる。
【００３２】
そして上記のようにコンテンツの媒介を行うとき、ストレージデバイスに、印字ラベル作成装置から当該印字ラベル作成装置に固有の選抜材料情報が書き込まれる。そして、この選抜材料情報を活用することで、コンテンツ供給装置からストレージデバイスを介し印字ラベル作成装置にコンテンツを導入するとき、当該印字ラベル作成装置にとって好適なコンテンツのみを（あるいは好適なコンテンツを優先的に）導入することができる。そのために、本願第８発明では、第１選抜処理及び第２選抜処理の少なくとも一方が実行される。
【００３３】
すなわち、第１選抜処理は、コンテンツ供給装置により実行されるコンテンツ書き込み手順において、コンテンツ供給装置の記憶手段に記憶された複数種類のコンテンツの中から、ストレージデバイスに記憶されている上記選抜材料情報に対応するコンテンツを選抜する処理である。これにより、コンテンツ供給装置からストレージデバイスがコンテンツを取得する時点で、印字ラベル作成装置にとって好適なコンテンツに絞り込んだ又は優先した態様（言い換えれば不要なコンテンツを排除又は非優先とした態様）で、コンテンツの上記取得が行われる。
【００３４】
一方、第２選抜処理は、印字ラベル作成装置により実行されるコンテンツ取得手順において、この時点でコンテンツ供給装置からストレージデバイスに書き込まれ記憶済みの複数種類のコンテンツの中から、上記選抜材料情報に対応するコンテンツを選抜する処理である。これにより、ストレージデバイスから印字ラベル作成装置がコンテンツを取得する時点で、当該印字ラベル作成装置にとって好適なコンテンツに絞り込んだ又は優先した態様（言い換えれば不要なコンテンツを排除又は非優先とした態様）で、コンテンツの上記取得が行われる。
【００３５】
以上のようにして、本願発明では、印字ラベル作成装置にとって好適なコンテンツのみを（あるいは好適なコンテンツを優先的に）、当該印字ラベル作成装置に導入することができる。この結果、印字ラベル作成装置内におけるコンテンツ記憶容量が少ない場合であっても、操作者が使用する可能性が高いコンテンツを確実に印字ラベル作成装置へ導入して使用することができる。
【００３６】
また、印字ラベル作成装置とコンテンツ供給装置とを直接接続してコンテンツ送受を行う通常の手法では、操作者は、コンテンツ供給装置に記憶されている膨大なコンテンツの中から印字ラベル作成装置に好適なコンテンツを手動操作で見つけ出して特定した後、その特定したコンテンツを印字ラベル作成装置へ取得させる操作を行う必要がある。これに対して本願第８発明では、上述の選抜材料情報の活用によって上述のような面倒な操作が不要となる結果、操作者にとっての操作労力を著しく低減し、利便性を向上することができる。
【００３７】
さらに、上述のようにして印字ラベル作成装置の作成装置側着脱部に装着して印字ラベル作成装置にコンテンツを導入した後、印字ラベルの作成を実行することで、上述の選抜材料情報を新たに更新することもできる。この場合、操作者は、上記印字ラベルの作成終了後に、上記更新された選抜材料情報を記憶したストレージデバイスを作成装置側着脱部から取り外す。これにより、上記更新された選抜材料情報を用いて、再び、上述のようにして、コンテンツ供給装置から印字ラベル作成装置へのコンテンツ送受の媒介を行うことができる。これを繰り返すことで、印字ラベル作成装置を使用する都度、その時点で印字ラベル作成装置に対し最適なコンテンツを、確実にコンテンツ供給装置から印字ラベル作成装置へと導入することもできる。
【００３８】
また上記目的を達成するために、本願発明のコンテンツ処理方法は、被印字媒体に印字を形成して印字ラベルを作成する第１印字ラベル作成装置に備えられた作成装置側着脱部に、不揮発性のストレージデバイスが装着されたか否かを判定する第１作成装置側判定手順と、第１作成装置側判定手順で前記ストレージデバイスが前記第１印字ラベル作成装置の前記作成装置側着脱部に装着されたと判定されたとき、その装着された状態の前記ストレージデバイスに対して、当該第１印字ラベル作成装置に好適な前記コンテンツを選抜するための固有の第１選抜材料情報を書き込む、第１選抜情報書き込み手順と、前記第１選抜情報書き込み手順で前記第１選抜材料情報が書き込まれた前記ストレージデバイスが前記第１印字ラベル作成装置の前記作成装置側着脱部から取り外された後、被印字媒体に印字を形成して印字ラベルを作成する第２印字ラベル作成装置に備えられた作成装置側着脱部に、当該ストレージデバイスが装着されたか否かを判定する第２作成装置側判定手順と、第２作成装置側判定手順で前記ストレージデバイスが前記第２印字ラベル作成装置の前記作成装置側着脱部に装着されたと判定されたとき、その装着された状態の前記ストレージデバイスに対して、当該第２印字ラベル作成装置に好適な前記コンテンツを選抜するための固有の第２選抜材料情報を書き込む、第２選抜情報書き込み手順と、前記第１選抜情報書き込み手順で前記第１選抜材料情報が書き込まれた前記ストレージデバイスが前記第１印字ラベル作成装置の前記作成装置側着脱部から取り外された後、前記第１印字ラベル作成装置において前記第１選抜材料情報の内容を少なくとも一部変更して第３選抜材料情報とする選抜情報更新手順と、前記第１及び第２選抜情報書き込み手順で書き込まれた前記第１及び第２選抜材料情報を記憶した前記ストレージデバイスが、コンテンツ供給装置に備えられた供給装置側着脱部に装着されたか否かを判定する供給装置側判定手順と、前記供給装置側判定手順で前記供給装置側着脱部に前記ストレージデバイスが装着されたと判定されたとき、前記コンテンツ供給装置の記憶手段に記憶された、内容が互いに異なる複数種類のコンテンツのうち、前記ストレージデバイスから取得された前記第１及び前記第２選抜材料情報に対応するコンテンツを選抜して、前記供給装置側着脱部に装着された状態の前記ストレージデバイスに書き込む、コンテンツ書き込み手順と、前記コンテンツ書き込み手順で書き込まれた前記コンテンツを記憶した前記ストレージデバイスが、前記第２印字ラベル作成装置の前記作成装置側着脱部に装着されたか否かを判定する第３作成装置側判定手順と、前記第３作成装置側判定手順で前記ストレージデバイスが前記第２印字ラベル作成装置の前記作成装置側着脱部に装着されたと判定されたとき、当該ストレージデバイスに記憶されたコンテンツのうち、前記第２選抜材料情報に対応したコンテンツを取得する第１コンテンツ取得手順と、前記第１コンテンツ取得手順での前記コンテンツの取得が完了した後に前記第２印字ラベル作成装置の前記作成装置側着脱部から取り外された前記ストレージデバイスが、前記第１印字ラベル作成装置の前記作成装置側着脱部に装着されたか否かを判定する第４作成装置側判定手順と、前記第４作成装置側判定手順で前記ストレージデバイスが前記第１印字ラベル作成装置の前記作成装置側着脱部に装着されたと判定されたとき、前記第２選抜材料情報に対応して当該ストレージデバイスに記憶されたコンテンツに前記第３選抜材料情報に対応したコンテンツが含まれていた場合は、当該第３選抜材料情報に対応したコンテンツを取得する第２コンテンツ取得手順と、を有し、前記第１選抜材料情報及び前記第３選抜材料情報は、当該第１印字ラベル作成装置の機種、当該第１印字ラベル作成装置のシリアル番号、当該第１印字ラベル作成装置での印字ラベル作成履歴におけるラベル属性情報、及び、当該第１印字ラベル作成装置での印字ラベル作成履歴における作成作業情報、を含み、前記第２選抜材料情報は、当該第２印字ラベル作成装置の機種、当該第２印字ラベル作成装置のシリアル番号、当該第２印字ラベル作成装置での印字ラベル作成履歴におけるラベル属性情報、及び、当該第２印字ラベル作成装置での印字ラベル作成履歴における作成作業情報、を含むことを特徴とする。
【００３９】
本願発明においては、印字ラベルを作成する第１及び第２印字ラベル作成装置のそれぞれに、不揮発性のストレージデバイスを着脱可能な着脱部（作成装置側着脱部）が設けられている。本願発明においては、まず、第１作成装置側判定手順で、第１印字ラベル作成装置の上記作成装置側着脱部に、上記ストレージデバイスが装着されたか否かが判定される。判定が満たされると、その後の第１選抜情報書き込み手順で、装着された状態のストレージデバイスに対し、当該第１印字ラベル作成装置に好適なコンテンツを選抜するための固有の第１選抜材料情報が書き込まれる。
【００４０】
このように第１選抜材料情報が書き込まれた後、操作者は、ストレージデバイスを第１印字ラベル作成装置の作成装置側着脱部から取り外し、第２印字ラベル作成装置の作成装置側着脱部に装着する。これにより、第２作成装置側判定手順での、第２印字ラベル作成装置の上記作成装置側着脱部に上記ストレージデバイスが装着されたか否かの判定が満たされる。この結果、その後の第２選抜情報書き込み手順で、装着された状態のストレージデバイスに対し、当該第２印字ラベル作成装置に好適なコンテンツを選抜するための固有の第２選抜材料情報が書き込まれる。
【００４１】
このようにして第１及び第２選抜材料情報が書き込まれた後、操作者は、ストレージデバイスを第２印字ラベル作成装置の作成装置側着脱部から取り外し、コンテンツ供給装置の供給装置側着脱部に装着する。コンテンツ供給装置の記憶手段には、内容が互いに異なる複数種類のコンテンツが記憶されている。上記のようにして供給装置側着脱部にストレージデバイスが装着されると、供給装置側判定手順での供給装置側着脱部へのストレージデバイスの装着に関する判定が満たされる。この結果、コンテンツ書き込み手順で、上記のようにコンテンツ供給装置の記憶手段に記憶された複数種類のコンテンツのうち、上記第１及び第２選抜材料情報に対応したコンテンツが、供給装置側着脱部に装着されたストレージデバイスに書き込まれる。
【００４２】
このようにしてコンテンツが書き込まれた後、操作者は、ストレージデバイスをコンテンツ供給装置の供給装置側着脱部から取り外し、再び第２印字ラベル作成装置の作成装置側着脱部に装着する。これにより、第３装置側判定手順での作成装置側着脱部へのストレージデバイスの装着に関する判定が満たされ、第１コンテンツ取得手順で、上記のようにストレージデバイスに書き込まれ記憶されている第２選抜材料情報に対応したコンテンツが、第２印字ラベル作成装置側に取得される。
【００４３】
ここで、前述のように、第１印字ラベル作成装置において、作成装置側着脱部に装着されたストレージデバイスに第１選抜材料情報が書き込まれて取り外された後に実行された、印字ラベル作成装置の作成履歴や操作者の適宜の操作により、第１印字ラベル作成装置に固有の上記第１選抜材料情報の内容が変更される場合がある。本願発明においては、このような場合に対応して、第１印字ラベル作成装置が実行する選抜情報更新手順で、上記第１選抜材料情報の内容を少なくとも一部変更して第３選抜材料情報を生成する。
【００４４】
そして、上述のようにしてコンテンツが第２印字ラベル作成装置で取得された後、操作者がストレージデバイスを第２印字ラベル作成装置の作成装置側着脱部から取り外し、再び第１印字ラベル作成装置の作成装置側着脱部に装着する。これにより、第４作成装置側判定手順での作成装置側着脱部へのストレージデバイスの装着に関する判定が満たされる。
【００４５】
このとき、上述のように、第１印字ラベル作成装置では、第１選抜材料情報が更新されて第３選抜材料情報となっている。その一方で、作成装置側着脱部に装着されたストレージデバイスには、上記第２選抜材料情報と更新前の上記第１選抜材料情報とに対応したコンテンツが記憶されている。ここで、例えば第１印字ラベル作成装置と第２印字ラベル作成装置とが同一又は類似の機種であったり、それら第１及び第２印字ラベル作成装置の操作者が共通である場合がある。このような場合には、第３選抜材料情報に対応したコンテンツと第１選抜材料情報に対応したコンテンツとが互いに異なるものであったとしても、第２選抜材料情報に対応したコンテンツの中に、たまたま第３選抜材料情報に対応したコンテンツが含まれる場合がある。
【００４６】
そこで、本願発明では、上記に対応して、第２コンテンツ取得手順で、上記のようにストレージデバイスに書き込まれ記憶されている、（第２選抜材料情報に対応しているとともに）第３選抜材料情報に対応したコンテンツを、第１印字ラベル作成装置側で取得する。このようにして、第１印字ラベル作成装置でストレージデバイスに第１選抜材料情報を書き込んだ後に、当該第１選抜材料情報の内容が更新された場合であっても、その更新後の第１選抜材料情報（＝第３選抜材料情報）に対応したコンテンツが第１印字ラベル作成装置で取得される。すなわち、第１印字ラベル作成装置の最新の状態に好適なコンテンツを導入することができるので、さらに利便性を向上することができる。
【発明の効果】
【００４７】
本発明によれば、コンテンツ供給装置から印字ラベル作成装置へのコンテンツ取得時における操作者の操作労力負担を軽減し、利便性を向上することができる。
【図面の簡単な説明】
【００４８】
【図１】本発明の一実施形態の印字ラベル作成装置を備える、コンテンツ処理システムの概略を表すシステム構成図である。
【図２】操作端末とコンテンツサーバの各部詳細機能を表す機能ブロック図である。
【図３】操作端末とラベルプリンタの各部詳細機能を表す機能ブロック図である。
【図４】操作端末とラベルプリンタとを接続してテンプレート取得を行う比較例を表す説明図である。
【図５】操作端末からそれらラベルプリンタへテンプレート取得が行われるときの流れを表すシーケンス図である。
【図６】使用実績を本体情報として書き込む変形例における、操作端末からラベルプリンタへテンプレート取得が行われるときの流れを表すシーケンス図である。
【図７】シリアル番号の異なる同一機種の２つのラベルプリンタを用いる変形例における、操作端末からそれらラベルプリンタへテンプレート取得が行われるときの流れを表すシーケンス図である。
【図８】シリアル番号の異なる同一機種の２つのラベルプリンタを用いる別の変形例における、操作端末からそれらラベルプリンタへテンプレート取得が行われるときの流れを表すシーケンス図である。
【発明を実施するための形態】
【００４９】
以下、本発明の一実施の形態を図面を参照しつつ説明する。
【００５０】
＜システム概略構成＞
本実施形態の印字ラベル作成装置を備えた、コンテンツ処理システム全体の構成を図１及び図２により説明する。図１において、コンテンツ処理システム１は、コンテンツサーバＳＶ（ウェブサーバ）と、例えば汎用パーソナルコンピュータで構成される操作端末２（コンテンツ供給装置）と、印字ラベルＬを作成する複数機種のラベルプリンタ３，３′（印字ラベル作成装置）と、を有している。そして、コンテンツサーバＳＶ及び操作端末２は、ネットワークＮＷを介して互いに接続されている。
【００５１】
本実施形態においては、ラベルプリンタ３，３′に、例えばＳＤカードやＵＳＢメモリ等からなる不揮発性の携帯可能なメモリカード３０（ストレージデバイス；メモリ着脱具）を着脱可能なカード着脱部２０８（後述の図３参照）が設けられている。また、操作端末２にも、ラベルプリンタ３，３′と同様に上記メモリカード３０を着脱可能なカード着脱部１６（後述の図２、図３参照）が設けられている。そして、後述するように、操作者は、メモリカード３０を媒体として用いることで、印字ラベルＬの作成のために使用されるテンプレートを供給可能な操作端末２と複数のラベルプリンタ３，３′との間で、各種の情報や上記テンプレートの送受を行うことができる。
【００５２】
ラベルプリンタ３，３′は、メモリカード３０を媒体として用いることで操作端末２との間で各種の情報や上記テンプレートを送受し、ラベルプリンタ３，３′での操作者の操作に基づき、所望の文字や図形などの印字を備えた印字ラベルＬを作成する。図１では、コンテンツサーバＳＶにネットワークＮＷを介して接続されている操作端末２と、この例では相対的に幅が狭い印字ラベルＬを作成するラベルプリンタ３と、この例では相対的に幅が広い印字ラベルＬを作成するラベルプリンタ３′とのそれぞれが、１つのメモリカード３０を媒介として各種の情報や上記テンプレートを相互に送受可能となっている。
【００５３】
＜操作端末とコンテンツサーバ＞
次に、操作端末２及びコンテンツサーバＳＶの電気的構成を、図２を用いて説明する。
【００５４】
操作端末２は、図２に示すように、ＣＰＵ１２（演算手段）と、例えばＲＡＭやＲＯＭ等からなるメモリ１３（記憶手段）と、操作者からの指示や情報が入力される操作部１４（操作手段；図１も参照）と、各種情報やメッセージを表示する表示部１７（表示手段；図１も参照）と、コンテンツサーバＳＶとの情報信号の授受の制御を行う通信制御部１５と、上記メモリカード３０を着脱可能な、例えばＳＤスロット等からなるカード着脱部１６（供給装置側着脱部）と、を備えている。
【００５５】
メモリ１３の上記ＲＯＭは、後述の図５、図６、図７、図８のシーケンスに示す各手順を操作端末２が実行するための本実施形態によるコンテンツ処理プログラムを記憶している。また、メモリ１３には、コンテンツサーバＳＶから取得された互いに異なる複数種類のテンプレート（詳細は後述）等を読み取り可能に記憶するためのコンテンツ格納部１３ａを備えている。
【００５６】
コンテンツサーバＳＶは、図２に示すように、ＣＰＵ１２０と、例えばＲＡＭやＲＯＭ等からなるメモリ１３０と、ネットワークＮＷを介して操作端末２との情報信号の授受の制御を行う通信制御部１５０と、大容量記憶装置１６０と、を備えている。大容量記憶装置１６０は例えばハードディスク装置から構成されており、例えば、印字ラベルＬの作成に係わる、互いに異なる複数種類のテンプレート（詳細は後述）等を格納している。
【００５７】
ＣＰＵ１２０及びＣＰＵ１２は、ＲＡＭの一時記憶機能を利用しつつＲＯＭに予め記憶されたプログラムに従って信号処理を行う。コンテンツサーバＳＶのＣＰＵ１２０は、上記信号処理により、操作端末２との間で、ネットワークＮＷを通じて各種の指示信号・情報信号の送受を行う。
【００５８】
＜ラベルプリンタ＞
次に、ラベルプリンタ３，３′の電気的構成を、図３により説明する。ラベルプリンタ３，３′は、図３に示すように、テープ（被印字媒体。本来は渦巻き状であるが簡略化して同心円で図示している）２０３を巻回したテープロール２０４を着脱可能な（又はテープロール２０４を備えたカートリッジを着脱可能な）テープロールホルダ部２１０と、このテープロール２０４から繰り出されたテープ２０３に所望の印字を行う印字ヘッド２０５（印字手段）と、印字が終了したテープ２０３を所定の長さに切断して上記印字ラベルＬとするカッタ２０７と、印字ヘッド２０５に対向して設けられ、制御回路２０２により制御されてテープロール２０４からのテープ２０３を搬送する搬送装置２０９（搬送手段）と、上記操作端末２の操作部１４と同様、操作者からの指示や情報が入力される操作部２０６と、上記メモリカード３０を着脱可能な、例えばＳＤスロット等からなるカード着脱部２０８（作成装置側着脱部）と、を有する。
【００５９】
＜テンプレート＞
本実施形態では、印字ラベルＬに印字するテキストや図像等の印字オブジェクトを操作者がすべてマニュアルで設定する煩雑さを回避するために、複数の印字オブジェクト配置枠が所定の態様で割り付けられた、いわゆるテンプレートが複数種類用意されている。そして、コンテンツサーバＳＶの大容量記憶装置１６０には、例えば予め作成されアップロードされた、複数種類の上記テンプレート（後述の図５、図６、図７、図８等参照）が記憶されている。各テンプレートは、例えば操作端末２の操作部１４における適宜の操作者の操作により、コンテンツサーバＳＶの大容量記憶装置１６０から読み出されてダウンロードされ、ネットワークＮＷを介し、操作端末２のメモリ１３におけるコンテンツ格納部１３ａへインストールされる。
【００６０】
このとき、ラベルプリンタ３，３′の制御回路２０２にはメモリ２０２Ａが備えられており（図３参照）、各ラベルプリンタ３又はラベルプリンタ３′で使用されるテンプレートは、例えばこのメモリ２０２Ａに記憶される。また、このメモリ２０２Ａには、必要に応じ、ラベルプリンタ３，３′によって印字ラベルＬが作成された際の作成作業情報（印刷回数やそのときに使用されたテンプレートカテゴリ等）、及び、ラベル属性情報（テープ２０３すなわち印字ラベルＬのテープ幅、文字色、テープ色、等別の印刷回数、等）の履歴が使用実績として記憶されている。なお、この使用実績（履歴）の記憶は、カード着脱部２０８にメモリカード３０が装着されているか否かに関係なく、ラベルプリンタ３，３′の使用に応じて随時内容が更新（変更）される（後述の図８のステップＭＳ１０も参照）。
【００６１】
なお、上記ラベル属性情報については、各属性それぞれに対応した図示しないセンサで直接検出してもよいし、上記テープロールホルダ部２１０に設けたセンサにより装着されたテープロール２０４（又は上記カートリッジ）の種類を検出することで、間接的に取得するようにしてもよい。
【００６２】
＜本実施形態の特徴＞
本実施形態の特徴は、上記のようにしてコンテンツサーバＳＶから複数種類のテンプレートを取得済みの操作端末２から、メモリカード３０がテンプレートを取得して記憶し、さらにそのメモリカード３０からラベルプリンタ３，３′がテンプレートを取得する、テンプレート処理手法にある。以下、その詳細を順を追って説明する。
【００６３】
＜比較例＞
まず、本実施形態の手法に対する比較例として、操作端末２とラベル作成装置３（又は３′）とを直接接続してテンプレートを取得する場合を説明する。
【００６４】
図４に示すように、この例では、ラベルプリンタ３が操作端末２に接続されている。この例では、ラベルプリンタ３へテンプレートを取得する場合には、操作端末２の上記表示部１７に表示された機器表示ボックス１７ａにおいて、操作者が、当該ラベルプリンタ３の機種名（この例では「ＰＴ−２７３０」）を選択する。すると、コンテンツサーバＳＶから事前に操作端末２が取得しておいた全テンプレートの中から、当該機種名に対応したテンプレートが検索される（あるいは、操作端末２は事前にテンプレートを取得せず、この時点でコンテンツサーバＳＶにアクセスしてコンテンツサーバＳＶ内で検索を行ってもよい）。そして、その検索結果が、操作端末２の表示部１７の一覧ボックス１７ｂに一覧表示される。
【００６５】
操作者は、上記のように一覧表示されたテンプレートの中から、自らがラベルプリンタ３へインストールしたい特定のテンプレートを選択する（図示の例では「Ｓｔｏｒｅ」テンプレートが選択されている）。これにより、操作端末２から（又はコンテンツサーバＳＶから）、当該「Ｓｔｏｒｅ」テンプレートがラベルプリンタ３へとインストールされる。ラベルプリンタ３′を接続した場合も同様である。
【００６６】
＜比較例の問題点＞
上記比較例のように、ラベルプリンタ３（又は３′）と操作端末２とを直接接続し、ラベルプリンタ３，３′の機種名を操作入力してテンプレートを検索し取得する場合、操作者は、上記一覧ボックス１７ｂに一覧表示される多数のテンプレートの中から自らの意図する所望のテンプレートを手動操作で見つけ出して特定した後、その特定したテンプレートをラベルプリンタ３，３′へ取得させる操作をさらに行う必要がある。このような面倒な操作が必要となる結果、操作者の労力負担が大きくなり、操作者にとっては非常に不便である。
【００６７】
＜実施形態の手法の概要＞
そこで、本実施形態では、まず、操作端末２とラベルプリンタ３，３′との間を接続することなく、メモリカード３０を媒介として上記テンプレートの授受を行う。その際、最初にラベルプリンタ３，３′側のほうからメモリカード３０に各プリンタ固有の本体情報（後述）を書き込んでおくことにより、その本体情報を利用して操作端末２からメモリカード３０へと取得されるテンプレートの種類が絞り込まれる。以下、そのような本実施形態の手法を詳細に説明する。
【００６８】
＜本実施形態のテンプレート取得の流れ＞
この例では、ラベルプリンタ３（図中、「ラベルプリンタ（１）」と略示。以下同様）及びラベルプリンタ３′（図中、「ラベルプリンタ（２）と略示。以下同様）の２つが存在する場合において、操作端末２からそれらラベルプリンタ３，３′へのテンプレート取得が行われるときの流れを、図５に示すシーケンス図を用いて説明する。図５において、図中上側から下側に向かって時系列変化するものとし、この時系列に関係するラベルプリンタ３、ラベルプリンタ３′、操作端末２の手順を図示してそれらの時系列の前後関係を説明する。
【００６９】
まず最初に、ラベルプリンタ３の上記制御回路２０２は、ステップＭＳ１において、メモリカード３０が上記カード着脱部２０８に装着されたか否かを判定する。メモリカード３０がカード着脱部２０８に装着されない間は判定が満たされず（ＭＳ１：ＮＯ）ループ待機する。操作者がメモリカード３０をカード着脱部２０８に装着すると判定が満たされ（ＭＳ１：ＹＥＳ）、ステップＭＳ２に移る。このステップＭＳ１が特許請求の範囲の装着判定手段として機能し、特許請求の範囲の第１判定手順に相当する。
【００７０】
その後、ステップＭＳ２で、制御回路２０２は、上記カード着脱部２０８に装着されたメモリカード３０に対し、ラベルプリンタ３に好適なテンプレートを選抜するための選抜材料情報として、固有の本体情報（以下適宜、「本体情報（１）」と称する。以下同様。この例ではラベルプリンタ３の機種名又はシリアル番号）を書き込む。なお、このステップＭＳ２では、後述のステップＭＳ５と同様、メモリカード３０内にこの時点で既に記憶されているテンプレートが存在し、かつその中に上記本体情報（１）に対応したテンプレートが含まれている場合には、当該テンプレートを取得することもできる（詳細は後述のステップＭＳ５を参照）。このステップＭＳ２が特許請求の範囲の選抜情報書込手段として機能し、特許請求の範囲の選抜情報書込手順に相当する。
【００７１】
その後、ステップＭＳ３で、制御回路２０２は、ステップＭＳ２で本体情報が書き込まれたメモリカード３０がカード着脱部２０８から取り外されたか否かを判定する。メモリカード３０が取り外されるまで判定が満たされず（ＭＳ３：ＮＯ）ループ待機し、メモリカード３０を操作者がカード着脱部２０８から取り外すと判定が満たされ（ＭＳ３：ＹＥＳ）、後述のステップＭＳ４に移る。
【００７２】
一方、ラベルプリンタ３′の上記制御回路２０２は、ステップＭ′Ｓ１において、上記同様、メモリカード３０が上記カード着脱部２０８に装着されたか否かを判定する。メモリカード３０がカード着脱部２０８に装着されない間は判定が満たされず（Ｍ′Ｓ１：ＮＯ）ループ待機する。操作者が、上記のようにしてラベルプリンタ３のカード着脱部２０８から取り外したメモリカード３０を、ラベルプリンタ３′のカード着脱部２０８に装着すると判定が満たされ（Ｍ′Ｓ１：ＹＥＳ）、ステップＭ′Ｓ２に移る。このステップＭ′Ｓ１も上記同様に特許請求の範囲の装着判定手段として機能し、特許請求の範囲の第１判定手順に相当している。
【００７３】
その後、ステップＭ′Ｓ２で、ラベルプリンタ３′の制御回路２０２は、上記カード着脱部２０８に装着されたメモリカード３０に対し、ラベルプリンタ３′に好適なテンプレートを選抜するための選抜材料情報として、固有の本体情報（以下適宜、「本体情報（２）」と称する。この例ではラベルプリンタ３′の機種名又はシリアル番号）を書き込む。これにより、メモリカード３０には、上記ラベルプリンタ３の本体情報とラベルプリンタ３′の本体情報との両方が記憶されたこととなる。なお、このステップＭ′Ｓ２でも、上記同様、メモリカード３０内にこの時点で上記本体情報（２）に対応したテンプレートが含まれている場合には、当該テンプレートを取得することもできる。このステップＭ′Ｓ２も上記同様特許請求の範囲の選抜情報書込手段として機能し、特許請求の範囲の選抜情報書込手順に相当する。
【００７４】
その後、ステップＭ′Ｓ３で、ラベルプリンタ３′の制御回路２０２は、ステップＭ′Ｓ２で本体情報が書き込まれたメモリカード３０がカード着脱部２０８から取り外されたか否かを判定する。メモリカード３０が取り外されるまで判定が満たされず（Ｍ′Ｓ３：ＮＯ）ループ待機し、メモリカード３０を操作者がカード着脱部２０８から取り外すと判定が満たされ（Ｍ′Ｓ３：ＹＥＳ）、後述のステップＭ′Ｓ４に移る。
【００７５】
一方、この時点で、操作端末２には、上記ラベルプリンタ３，３′に好適なラベルプリンタ３用テンプレート（図中、「プリンタ（１）用テンプレート」と略示する。以下同様）、ラベルプリンタ３′用テンプレート（図中、「プリンタ（２）用テンプレート」と略示する。以下同様）を含む、複数種類の互いに異なるテンプレートを、コンテンツサーバＳＶから定期的に取得し、上記コンテンツ格納部１３ａに格納済みである。この状態で、操作端末２のＣＰＵ１２は、ステップＣＳ１において、メモリカード３０が上記カード着脱部１６に装着されたか否かを判定する。メモリカード３０がカード着脱部１６に装着されない間は判定が満たされず（ＣＳ１：ＮＯ）ループ待機する。上記のようにして両ラベルプリンタ３，３′の本体情報（１）及び本体情報（２）が書き込まれたメモリカード３０を、操作者がカード着脱部１６に装着すると判定が満たされ（ＣＳ１：ＹＥＳ）、ステップＣＳ２に移る。このステップＣＳ１が特許請求の範囲の装着判定手順に相当し、特許請求の範囲の第２判定手順にも相当する。
【００７６】
ステップＣＳ２では、操作端末２のＣＰＵ１２は、カード着脱部１６に装着されたメモリカード３０から上記本体情報（１）及び本体情報（２）を取得する（特許請求の範囲の選抜情報取得手順に相当）。その後、上述のように既にコンテンツ格納部１３ａに記憶されている複数種類のテンプレートから、上記本体情報（１）及び本体情報（２）に対応する、上記ラベルプリンタ３用テンプレート、ラベルプリンタ３′用テンプレートそれぞれを選抜（特許請求の範囲の第１選抜処理に相当）してメモリカード３０に書き込む（特許請求の範囲のコンテンツ書込手順及びコンテンツ書込手順に相当）。なお、操作端末２にコンテンツ格納部１３ａを設けない場合には、このステップＣＳ２で、上記本体情報（１）及び本体情報（２）に対応する、上記ラベルプリンタ３用テンプレート、ラベルプリンタ３′用テンプレートそれぞれをコンテンツサーバＳＶから選抜（特許請求の範囲の第１選抜処理に相当）して取得し、メモリカード３０に書き込む（特許請求の範囲のコンテンツ書込手順及びコンテンツ書込手順に相当）ようにしてもよい。この場合には、操作端末２とコンテンツサーバＳＶとが、特許請求の範囲記載のコンテンツ供給装置として機能し、コンテンツサーバＳＶの上記大容量記憶装置１６０が、特許請求の範囲記載の記憶手段として機能する。
【００７７】
その後、ステップＣＳ３で、ＣＰＵ１２は、ステップＣＳ２でラベルプリンタ３用テンプレート及びラベルプリンタ３′用テンプレートが書き込まれたメモリカード３０がカード着脱部１６から取り外されたか否かを判定する。メモリカード３０が取り外されるまで判定が満たされず（ＣＳ３：ＮＯ）ループ待機し、メモリカード３０を操作者がカード着脱部１６から取り外すと判定が満たされ（ＣＳ３：ＹＥＳ）、操作端末２側の処理を終了する。
【００７８】
上述したように、このとき、ラベルプリンタ３′の上記制御回路２０２は、ステップＭ′Ｓ４に移り、メモリカード３０が上記カード着脱部２０８に装着されたか否かを判定している。メモリカード３０がカード着脱部２０８に装着されない間は判定が満たされず（Ｍ′Ｓ４：ＮＯ）ループ待機する。操作者が、上記のようにしてラベルプリンタ３用テンプレート及びラベルプリンタ３′用テンプレートが書き込まれ、操作端末２のカード着脱部１６から取り外されたメモリカード３０を、カード着脱部２０８に装着すると判定が満たされ（Ｍ′Ｓ４：ＹＥＳ）、ステップＭ′Ｓ５に移る。なおこのステップＭ′Ｓ４が特許請求の範囲の第３判定手順に相当する。
【００７９】
その後、ステップＭ′Ｓ５で、ラベルプリンタ３′の制御回路２０２は、ステップＭ′Ｓ４で上記カード着脱部２０８に装着されたメモリカード３０から、当該メモリカード３０に書き込まれて記憶されているテンプレートを取得する。このとき、制御回路２０２は、メモリカード３０に記憶された複数種類のテンプレート（この例ではラベルプリンタ３用テンプレート及びラベルプリンタ３用テンプレート）のうち、自らの本体情報（すなわちこの例では本体情報（２））に対応したラベルプリンタ３′用テンプレートのみを選抜（特許請求の範囲の第２選抜処理に相当）して、取得する。すなわち、他のラベルプリンタ３に対応するテンプレートは無視して自らに好適なテンプレートのみを取得する（一種のテンプレート振り分け機能）。なお、このステップＭ′Ｓ５では、上述のステップＭＳ２やステップＭ′Ｓ２と同様、ラベルプリンタ３′の本体情報（２）を、メモリカード３０に書き込むこともできる。なお、このステップＭ′Ｓ５が特許請求の範囲のコンテンツ取得手段として機能し、特許請求の範囲のコンテンツ取得手順に相当する。
【００８０】
その後、ステップＭ′Ｓ６で、ラベルプリンタ３′の制御回路２０２は、上記ステップＭ′Ｓ５でラベルプリンタ３′用テンプレートを取得したメモリカード３０が、カード着脱部２０８から取り外されたか否かを判定する。メモリカード３０が取り外されるまで判定が満たされず（Ｍ′Ｓ６：ＮＯ）ループ待機し、メモリカード３０を操作者がカード着脱部２０８から取り外すと判定が満たされ（Ｍ′Ｓ６：ＹＥＳ）、ラベルプリンタ３′側での処理を終了する。
【００８１】
上述したように、このとき、ラベルプリンタ３の上記制御回路２０２は、ステップＭＳ４に移り、メモリカード３０が上記カード着脱部２０８に装着されたか否かを判定している。メモリカード３０がカード着脱部２０８に装着されない間は判定が満たされず（ＭＳ４：ＮＯ）ループ待機する。操作者が、上記のようにラベルプリンタ３用テンプレート及びラベルプリンタ３′用テンプレートを記憶しつつラベルプリンタ３′のカード着脱部２０８から取り外されたメモリカード３０を、カード着脱部２０８に装着すると、判定が満たされ（ＭＳ４：ＹＥＳ）、ステップＭＳ５に移る。なお、このステップＭＳ４も、特許請求の範囲の第３判定手順に相当する。
【００８２】
その後、ステップＭＳ５で、ラベルプリンタ３の制御回路２０２は、ステップＭＳ４で上記カード着脱部２０８に装着されたメモリカード３０から、当該メモリカード３０が記憶しているテンプレートを取得する。このとき、上記同様、制御回路２０２は、メモリカード３０に記憶された複数種類のテンプレート（この例ではラベルプリンタ３用テンプレート及びラベルプリンタ３用テンプレート）のうち、自らの本体情報（すなわちこの例では本体情報（１））に対応したラベルプリンタ３用テンプレートのみを選抜（特許請求の範囲の第２選抜処理に相当）して取得する。すなわち、上記同様、他のラベルプリンタ３′に対応するテンプレートは無視して自らに好適なテンプレート取得する（上記同様、一種のテンプレート振り分け機能）。なお、このステップＭＳ５でも、上述のステップＭＳ２やステップＭ′Ｓ２と同様、ラベルプリンタ３の本体情報（１）を、メモリカード３０に書き込むこともできる。このステップＭＳ５が特許請求の範囲のコンテンツ取得手段として機能し、特許請求の範囲のコンテンツ取得手順に相当する。
【００８３】
その後、ステップＭＳ６で、ラベルプリンタ３の制御回路２０２は、上記ステップＭＳ５でラベルプリンタ３用テンプレートを取得したメモリカード３０が、カード着脱部２０８から取り外されたか否かを判定する。メモリカード３０が取り外されるまで判定が満たされず（ＭＳ６：ＮＯ）ループ待機し、メモリカード３０を操作者がカード着脱部２０８から取り外すと判定が満たされ（ＭＳ６：ＹＥＳ）、ラベルプリンタ３側での処理を終了する。すなわち、このシーケンス図での処理はすべて終了される。
【００８４】
以上説明したように、本実施形態のラベルプリンタ３及びラベルプリンタ３′においては、メモリカード３０を媒体として用いることで、操作端末２との間で有線・無線による各種接続を行わなくても、それらの間におけるテンプレートの送受を手軽に行うことができる。その際、操作端末２との間でテンプレートの媒介を行うとき、メモリカード３０に、ラベルプリンタ３，３′から当該ラベルプリンタ３，３′に固有の本体情報（１）及び本体情報（２）が書き込まれる。そして、これら本体情報（１）（２）を活用することで、操作端末２からのテンプレートをメモリカード３０を介してラベルプリンタ３，３′に導入するとき、当該ラベルプリンタ３，３′にとって好適なテンプレートのみを導入することができる。そして、ラベルプリンタ３及びラベルプリンタ３′は、操作端末２からメモリカード３０に書き込まれ記憶済みの複数種類のテンプレートの中から、上記本体情報（１）又は本体情報（２）に対応するテンプレートを選抜しつつ取得を行う。これにより、ラベルプリンタ３，３′にとって好適なテンプレートに絞り込んだ又は優先した態様、言い換えれば不要なテンプレートを排除した態様で、テンプレートの取得が行われる。
【００８５】
この結果、ラベルプリンタ３，３′におけるテンプレート記憶容量（上記メモリ２０２Ａの容量）が少ない場合であっても、操作者が使用する可能性が高いテンプレートを確実にラベルプリンタ３，３′へ導入して使用することができる。また、本実施形態では、上述の本体情報（１）（２）の活用によって上述のような面倒な操作が不要となる結果、操作者にとっての操作労力を著しく低減し、利便性を向上することができる。
【００８６】
また、本実施形態では特に、本体情報として、ラベルプリンタ３，３′の機種やシリアル番号を、メモリカード３０に対して書き込む。これにより、当該ラベルプリンタ３，３′の仕様・性能や固有の使用履歴に合致しないテンプレートを排除してテンプレートの取得を行い、使用することができる。
【００８７】
また、本実施形態では特に、操作端末２がウェブサーバであるコンテンツサーバＳＶに接続されていることにより、ウェブ（いわゆるクラウドを含む）上に格納されているテンプレートを、操作端末２及びメモリカード３０を介し、ラベルプリンタ３及びラベルプリンタ３′が取得することができる。
【００８８】
また、本実施形態の操作端末２では、ステップＣＳ２において、操作端末２のメモリ１３のコンテンツ格納部１３ａに記憶された複数種類のテンプレートの中から、メモリカード３０に記憶されている本体情報（上記の例では本体情報（１）（２））に対応するテンプレートを選抜しつつ、書き込みが行われる。これにより、操作端末２からメモリカード３０がテンプレートを取得する時点で、ラベルプリンタ３及びラベルプリンタ３′にとって好適なラベルプリンタ３用テンプレート及びラベルプリンタ３′に絞り込んだ態様（言い換えれば不要なテンプレートを排除した態様）で、テンプレートの取得が行われる。これによっても、前述したように、ラベルプリンタ３，３′内におけるテンプレート記憶容量が少ない場合であっても、操作者が使用する可能性が高いテンプレートを確実にラベルプリンタ３，３′へ導入して使用することができる。
【００８９】
なお、本発明は、上記実施形態に限られるものではなく、その趣旨及び技術的思想を逸脱しない範囲内で種々の変形が可能である。以下、そのような変形例について説明する。
【００９０】
（１）使用実績を本体情報として書き込む場合
上記実施形態では、各プリンタ固有の本体情報（選抜材料情報）として、ラベルプリンタ３の機種名又はシリアル番号を使用したが、これに限られず、他の情報を用いてもよい。以下、そのような本変形例を図６を用いて説明する。
【００９１】
＜本変形例のテンプレート取得の流れ＞
本変形例では、１つのラベルプリンタ３（図中、「ラベルプリンタ（１）」と略示。以下同様）が存在する場合において、操作端末２からラベルプリンタ３へのテンプレート取得が行われるときの流れを、図６に示すシーケンス図を用いて説明する。図６において、上記図５と同様、図中上側から下側に向かって時系列変化するものとし、この時系列に関係するラベルプリンタ３、操作端末２の手順を図示してそれらの時系列の前後関係を説明する。上記実施形態の上記図５と同等の部分には同一の符号を付し、適宜説明を省略又は簡略化する。
【００９２】
図６において、本変形例では、ステップＭＳ１でラベルプリンタ３のカード着脱部２０８への装着が確認されたメモリカード３０に対し、ステップＭＳ２において、例えば上記メモリ部２０２Ａに記憶されていた「機種名」「シリアル番号」「印刷回数」「使用実績」を含む本体情報（１）が、メモリカード３０に書き込まれる。なお、このステップＭＳ２で、前述したように、メモリカード３０内にこの時点で既に記憶されているテンプレートが存在し、かつその中に上記本体情報（１）に対応したテンプレートが含まれている場合には、当該テンプレートを取得することもできる。
【００９３】
上記「使用実績」は、さらに詳細には、「テンプレートカテゴリ」使用実績と、ラベル属性を表す「テープ幅」使用実績、「リボン文字色」使用実績、「テープ色」使用実績、等の各種の使用実績（使用履歴）を含んでいる。例えば「テンプレートカテゴリ」使用実績には、「オーディオ」カテゴリが１０００回、「乗り物」カテゴリが１００回、「フラワー」カテゴリが５回、・・等が含まれている。すなわち、全カテゴリのうち、これら「オーディオ」「乗り物」「フラワー」カテゴリが、使用頻度からみて上位３つのカテゴリとなる。
【００９４】
上記のように「機種名」「使用実績」等を含む本体情報（１）が書き込まれたメモリカード３０が、操作者によってラベルプリンタ３のカード着脱部２０８から取り外された後、操作端末２のカード着脱部１６に装着されると、上記同様、操作端末２のＣＰＵ１２の実行するステップＣＳ１の判定が満たされ、ステップＣＳ２に移る。
【００９５】
本変形例では、ステップＣＳ２では、操作端末２のＣＰＵ１２は、カード着脱部１６に装着されたメモリカード３０から上記「機種名」「使用実績」等を含む本体情報（１）を取得する（特許請求の範囲の選抜情報取得手順に相当）。その後、上述のように既にコンテンツ格納部１３ａに記憶されている複数種類のテンプレートから、上記本体情報（１）に対応し上記ラベルプリンタ３用テンプレートを選抜（特許請求の範囲の第１選抜処理に相当）して書き込む（特許請求の範囲のコンテンツ書込手順及びコンテンツ書込手順に相当）。このとき、上記ラベルプリンタ３用テンプレートには、全カテゴリ（上記「オーディオ」「乗り物」「フラワー」カテゴリの上位３つ以外も含む）が含まれている。なお、このステップＣＳ２で、上記のように全カテゴリを書き込まず、「オーディオ」「乗り物」「フラワー」という使用実績が上位３つのカテゴリのテンプレートのみを選抜（この場合も特許請求の範囲の第１選抜処理の別の例に相当）して書き込んでもよい。
【００９６】
その後、操作者が、上記のようにして全カテゴリのラベルプリンタ３用テンプレートが書き込まれたメモリカード３０をラベルプリンタ３のカード着脱部２０８に装着すると、上記同様、ステップＭＳ４の判定が満たされ（ＭＳ４：ＹＥＳ）、ステップＭＳ５に移る。
【００９７】
ステップＭＳ５では、ラベルプリンタ３の制御回路２０２は、メモリカード３０に記憶された複数種類のテンプレート（この例では全カテゴリのラベルプリンタ３用テンプレート）のうち、自らの本体情報（すなわちこの例では本体情報（１））に対応したテンプレートのみを選抜（特許請求の範囲の第２選抜処理に相当）して、取得する。この例では、前述した使用頻度が最も高いカテゴリ「オーディオ」のテンプレートのみを選抜（一種のテンプレート絞り込み機能）し取得する。なお、このステップＭＳ５では、上述のステップＭＳ２と同様、この時点での最新のラベルプリンタ３の本体情報（１）を、メモリカード３０に書き込むこともできる。
【００９８】
以上のような本変形例においても、上記実施形態と同様の効果を得ることができる。すなわち、本実施形態のラベルプリンタ３においては、操作端末２との間でテンプレートの媒介を行うとき、メモリカード３０に、ラベルプリンタ３に固有の本体情報（１）が書き込まれる。そして、これら本体情報（１）を活用することで、操作端末２からのテンプレートをメモリカード３０を介してラベルプリンタ３に導入するとき、当該ラベルプリンタ３にとって好適なテンプレート（この例では使用頻度が最も高い「オーディオ」カテゴリのテンプレート）を優先的に導入することができる。これにより、ラベルプリンタ３にとって好適なテンプレートに優先した態様、言い換えれば不要なテンプレートを非優先とした態様で、テンプレートの取得を行うことができる。この結果、前述と同様、ラベルプリンタ３におけるテンプレート記憶容量（上記メモリ２０２Ａの容量）が少ない場合であっても、操作者が使用する可能性が高いテンプレートを確実にラベルプリンタ３へ導入して使用することができる。
【００９９】
また、本実施形態では特に、本体情報として、ラベルプリンタ３での印字ラベルＬの作成履歴における作成作業情報（この例では、テンプレートカテゴリ別の使用実績）をメモリカード３０に対して書き込んで使用する。これにより、上述したように、当該ラベルプリンタ３における過去の使用実績から見て操作者が使用する可能性が高いテンプレートのみを確実に導入し、使用することができる。なお、上記テンプレートカテゴリ別の使用実績に代えて、上記本体情報（１）に含まれるラベル属性情報（テープ２０３すなわち印字ラベルＬのテープ幅、文字色、テープ色、等別の印刷回数、等）を用いてもよい。この場合、操作端末２のＣＰＵ１２が実行する上記ＣＳ２において、上記テープ幅、文字色、テープ色等の使用実績が上位であるものに対応するテンプレートのみを選抜（特許請求の範囲の第１選抜処理に相当）して書き込むようにしてもよいし、ラベルプリンタ３の制御回路２０２が実行するステップＭＳ５において、テープ幅、文字色、テープ色等の使用実績が上位であるものに対応するテンプレートのみを選抜し取得（特許請求の範囲の第２選抜処理に相当）するようにしてもよい。以上の場合も、ラベルプリンタ３における過去の使用実績から見て操作者が使用する可能性が高いテンプレートのみを確実に導入し、使用することができる。
【０１００】
なお、本変形例では、上述のようにしてラベルプリンタ３のカード着脱部２０８にメモリカード３０を装着してラベルプリンタ３にテンプレートを導入した後、さらに印字ラベルＬの作成を実行することで、上述の本体情報（１）を新たに更新することもできる。すなわち、印字ラベルＬがその後新たに作成される都度、上記本体情報（１）に含まれる上記ラベル属性情報（テープ２０３すなわち印字ラベルＬのテープ幅、文字色、テープ色、等別の印刷回数、等）や作成作業情報（ラベル印刷回数やテンプレートカテゴリ別の使用実績等）は、新たに更新されることとなる。この場合、操作者は、その印字ラベルＬの作成終了後に、上記更新された本体情報を記憶したメモリカード３０をカード着脱部２０８から取り外すことで、上記更新された本体情報を用いて、再び、上述のようにして、操作端末２からラベルプリンタ３，３′へのテンプレート送受の媒介を行うことができる。これを繰り返すことで、ラベルプリンタ３，３′を使用する都度、その時点でラベルプリンタ３，３′に対し最適なテンプレートを、確実に操作端末２からラベルプリンタ３，３′へと導入することもできる。
【０１０１】
（２）シリアル番号の異なる同一機種の２つのラベルプリンタを用いる場合
上記実施形態では、互いに異なる機種である２つのラベルプリンタ３，３′に対してテンプレートを導入する場合を例にとって説明したが、これに限られず、同一機種の２つのラベルプリンタへのテンプレートの導入に適用してもよい。以下、そのような本変形例を図７を用いて説明する。
【０１０２】
＜本変形例のテンプレート取得の流れ＞
本変形例では、同一機種で互いにシリアル番号が異なる２つのラベルプリンタ３，３が存在する場合において、操作端末２からそれらラベルプリンタ３，３へのテンプレート取得が行われるときの流れを、図７に示すシーケンス図を用いて説明する。なお、２つのラベルプリンタ３，３のうち図中左側に示すものを説明の便宜上以下「ラベルプリンタ３ａ」と称し、図中「ラベルプリンタ（１）ａ」と略示する。また２つのラベルプリンタ３，３のうち図中右側に示すものを説明の便宜上以下「ラベルプリンタ３ｂ」と称し、図中「ラベルプリンタ（１）ｂ」と略示する。そして、上記同様、図中上側から下側に向かって時系列変化するものとし、この時系列に関係するラベルプリンタ３ａ，３ｂ、操作端末２の手順を図示してそれらの時系列の前後関係を説明する。上記実施形態の上記図５及び（１）の変形例の上記図６と同等の部分には同一の符号を付し、適宜説明を省略又は簡略化する。
【０１０３】
図７において、本変形例では、まず、ラベルプリンタ３ａの制御回路２０２が実行するステップＭＳ２において、ステップＭＳ１でカード着脱部２０８への装着が確認されたメモリカード３０に対し、例えば上記メモリ２０２Ａに記憶されていた本体情報（１）ａが、メモリカード３０に書き込まれる。本体情報（１）ａは、機種名（この例では「ＰＴ−Ｈ３０００」）、シリアル番号（この例では「００００１」）、印刷回数（この例では「１１０５回」）、使用実績（この例では、「オーディオ」カテゴリ１０００回、「乗り物」カテゴリ１００回、「フラワー」カテゴリが５回、・・）、等を含んでいる。すなわち、ラベルプリンタ３ａについては、全カテゴリのうち、これら「オーディオ」「乗り物」カテゴリが、使用頻度からみてこの順序で上位２つのカテゴリとなる。なお、上述したように、このステップＭＳ２で、メモリカード３０内に、この時点で上記本体情報（１）ａに対応したテンプレートが含まれている場合には、当該テンプレートを取得することもできる。
【０１０４】
その後、上記本体情報（１）が書き込まれたメモリカード３０を、操作者がラベルプリンタ３ａのカード着脱部２０８から取り外してラベルプリンタ３ｂのカード着脱部２０８に装着すると、ラベルプリンタ３ｂの制御回路２０２が実行するステップＭＳ２において、例えば上記メモリ２０２Ａに記憶されていた本体情報（１）ｂが、メモリカード３０に書き込まれる。本体情報（１）ｂは、機種名（この例では「ＰＴ−Ｈ３０００」）、シリアル番号（この例では「００００２」）、印刷回数（この例では「１０５回」）、使用実績（この例では、「オーディオ」カテゴリ８０回、「フラワー」カテゴリが２０回、「乗り物」カテゴリ５回、・・）、等を含んでいる。すなわち、ラベルプリンタ３ｂについては、全カテゴリのうち、これら「オーディオ」「フラワー」カテゴリが、使用頻度からみてこの順序で上位２つのカテゴリとなる。上述と同様、このステップＭＳ２で、メモリカード３０内に、この時点で上記本体情報（１）ｂに対応したテンプレートが含まれている場合には、当該テンプレートを取得することもできる。
【０１０５】
上記のようにラベルプリンタ３ａで本体情報（１）ａが書き込まれ、ラベルプリンタ３ｂで本体情報（１）ｂが書き込まれたメモリカード３０が、操作者によってラベルプリンタ３ｂのカード着脱部２０８から取り外された後、操作端末２のカード着脱部１６に装着されると、上記同様、操作端末２のＣＰＵ１２の実行するステップＣＳ１の判定が満たされ、ステップＣＳ２に移る。
【０１０６】
本変形例では、ステップＣＳ２では、操作端末２のＣＰＵ１２は、カード着脱部１６に装着されたメモリカード３０から上記本体情報（１）ａと本体情報（１）ｂとを取得する（特許請求の範囲の選抜情報取得手順に相当）。その後、上述のように既にコンテンツ格納部１３ａに記憶されている複数種類のテンプレートから、上記本体情報（１）ａ及び本体情報（１）ｂに対応したラベルプリンタ３ａ，３ｂ用のテンプレートを選抜（特許請求の範囲の第１選抜処理に相当）して書き込む（特許請求の範囲のコンテンツ書込手順及びコンテンツ書込手順に相当）。このとき、上記ラベルプリンタ３用テンプレートには、全カテゴリ（上記「オーディオ」「乗り物」「フラワー」カテゴリ以外も含む）が含まれている。なお、このステップＣＳ２で、上記のように全カテゴリを書き込まず、本体情報（１）ａにおける「オーディオ」「乗り物」という使用実績が上位２つのカテゴリと、本体情報（１）ｂにおける「オーディオ」「フラワー」という使用実績が上位２つのカテゴリと、の両方を満たす「オーディオ」「乗り物」「フラワー」のテンプレートのみを選抜（この場合も特許請求の範囲の第１選抜処理の別の例に相当）して書き込んでもよい。
【０１０７】
その後、操作者が、上記のようにして全カテゴリのラベルプリンタ３用テンプレートが書き込まれたメモリカード３０をラベルプリンタ３ｂのカード着脱部２０８に装着すると、上記同様、ラベルプリンタ３ｂの制御回路２０２が実行するステップＭＳ４の判定が満たされ（ＭＳ４：ＹＥＳ）、ステップＭＳ５に移る。
【０１０８】
ステップＭＳ５では、ラベルプリンタ３ｂの制御回路２０２は、メモリカード３０に記憶された複数種類のテンプレート（この例では全カテゴリのラベルプリンタ３用テンプレート、若しくは、「オーディオ」「乗り物」「フラワー」の３つのカテゴリのテンプレート）のうち、自らの本体情報（すなわちこの例では本体情報（１）ｂ）に対応したテンプレートのみを選抜（特許請求の範囲の第２選抜処理に相当）して、取得する。この例では、前述した使用頻度が高い順に２つのカテゴリ「オーディオ」「フラワー」のテンプレートのみを選抜（一種のテンプレート絞り込み機能であり、後述するラベルプリンタ３ａとの対比で考えると一種のテンプレート振り分け機能でもある）し取得する。なお、このステップＭＳ５で、この時点での最新のラベルプリンタ３ｂの本体情報（１）ｂを、メモリカード３０に書き込むこともできる。
【０１０９】
その後、操作者が、ラベルプリンタ３ｂのカード着脱部２０８からメモリカード３０を取り外し、ラベルプリンタ３ａのカード着脱部２０８に装着すると、上記同様、ラベルプリンタ３ａの制御回路２０２が実行するステップＭＳ４の判定が満たされ（ＭＳ４：ＹＥＳ）、ステップＭＳ５に移る。
【０１１０】
ステップＭＳ５では、ラベルプリンタ３ａの制御回路２０２は、メモリカード３０に記憶された複数種類のテンプレート（この例では全カテゴリのラベルプリンタ３用テンプレート、若しくは、「オーディオ」「乗り物」「フラワー」の３つのカテゴリのテンプレート）のうち、自らの本体情報（すなわちこの例では本体情報（１）ａ）に対応したテンプレートのみを選抜（特許請求の範囲の第２選抜処理に相当）して、取得する。この例では、前述した使用頻度が高い順に２つのカテゴリ「オーディオ」「乗り物」のテンプレートのみを選抜（一種のテンプレート絞り込み機能であり、前述のラベルプリンタ３ｂとの対比で考えると一種のテンプレート振り分け機能でもある）し取得する。なお、このステップＭＳ５で、この時点での最新のラベルプリンタ３ａの本体情報（１）ａを、メモリカード３０に書き込むこともできる。
【０１１１】
以上のような本変形例においても、上記実施形態と同様の効果を得ることができる。すなわち、本実施形態のラベルプリンタ３ａ，３ｂにおいては、操作端末２との間でテンプレートの媒介を行うとき、メモリカード３０に、ラベルプリンタ３に固有の本体情報（１）ａ又は（１）ｂが書き込まれる。そして、これら本体情報（１）ａ及び（１）ｂを活用することで、操作端末２からのテンプレートをメモリカード３０を介してラベルプリンタ３ａ，３ｂに導入するとき、当該ラベルプリンタ３ａ，３ｂにとって好適なテンプレート（ラベルプリンタ３ａでは使用頻度が高い上位２つの「オーディオ」「乗り物」カテゴリのテンプレート、ラベルプリンタ３ｂでは使用頻度が高い上位２つの「オーディオ」「フラワー物」カテゴリのテンプレート）を優先的に導入することができる。これにより、ラベルプリンタ３ａ，３ｂにとって好適なテンプレートに優先した態様、言い換えれば不要なテンプレートを非優先とした態様で、テンプレートの取得を行うことができる。この結果、前述と同様、ラベルプリンタ３ａ，３ｂにおけるテンプレート記憶容量（上記メモリ２０２Ａの容量）が少ない場合であっても、操作者が使用する可能性が高いテンプレートを確実にラベルプリンタ３ａ，３ｂへ導入して使用することができる。
【０１１２】
なお、本変形例においても、上記（１）の変形例と同様、上述のようにしてラベルプリンタ３ａ，３ｂのカード着脱部２０８にメモリカード３０を装着してラベルプリンタ３ａ，３ｂにテンプレートを導入した後、さらに印字ラベルＬの作成を実行することで、上述の本体情報（１）ａや（１）ｂを新たに更新し、同様の効果を得ることができる。
【０１１３】
（３）メモリカードの取り外し後に更新された本体情報に対応するテンプレートを取得する場合
【０１１４】
＜本変形例のテンプレート取得の流れ＞
本変形例では、上記（２）の変形例と同様、同一機種で互いにシリアル番号が異なる２つのラベルプリンタ３，３が存在する場合を一例にとって、操作端末２からそれらラベルプリンタ３，３へのテンプレート取得が行われるときの流れを図８に示す。
【０１１５】
図８に示すシーケンスでは、図７に示したシーケンスにおけるラベルプリンタ３ａ（第１印字ラベル作成装置に相当）の制御回路２０２が実行するステップＭＳ３とステップＭＳ４との間に、新たにステップＭＳ１０が設けられている。その他の手順は、処理内容は図７に示した各手順の処理と概ね同等であり、適宜説明を省略又は簡略化する。
【０１１６】
すなわち、ラベルプリンタ３ａの制御回路２０２が実行するステップＭＳ２において、ステップＭＳ１でカード着脱部２０８への装着が確認されたメモリカード３０に対し、例えば上記メモリ２０２Ａに記憶されていた本体情報（１）ａ（第１選抜材料情報に相当）が、メモリカード３０に書き込まれる。本体情報（１）ａは、この例では、機種名「ＰＴ−Ｈ３０００」、シリアル番号「００００１」、印刷回数「１１００回」、使用実績（「オーディオ」カテゴリ１０００回、及び、「乗り物」カテゴリ１００回）を含んでいる。すなわち、ラベルプリンタ３ａについては、これら「オーディオ」「乗り物」カテゴリが、この時点における使用頻度がこの順序で上位である２つのカテゴリである。なお、上記ステップＭＳ１が特許請求の範囲の第１作成装置側判定手順に相当し、ステップＭＳ２が第１選抜情報書き込み手順に相当する。
【０１１７】
その後、図７と同様、上記本体情報（１）が書き込まれたメモリカード３０がラベルプリンタ３ｂ（第２印字ラベル作成装置に相当）のカード着脱部２０８に装着されると、ステップＭＳ２において、上記同様、本体情報（１）ｂ（第２選抜材料情報に相当）が、メモリカード３０に書き込まれる。本体情報（１）ｂは、この例では、機種名「ＰＴ−Ｈ３０００」、シリアル番号「００００２」、印刷回数「１００回」、使用実績（この例では、「オーディオ」カテゴリ８０回、「フラワー」カテゴリが２０回）を含んでいる。すなわち、ラベルプリンタ３ｂについては、これら「オーディオ」「フラワー」カテゴリが、使用頻度がこの順序で上位である２つのカテゴリである。なお、上記ステップＭＳ１が特許請求の範囲の第２作成装置側判定手順に相当し、ステップＭＳ２が第２選抜情報書き込み手順に相当する。
【０１１８】
上述のように本体情報（１）ａ及び本体情報（１）ｂが書き込まれたメモリカード３０が操作端末２のカード着脱部１６に装着されると、上記同様、ステップＣＳ１を経て、ステップＣＳ２に移る。ステップＣＳ２では、上記同様、メモリカード３０から上記本体情報（１）ａ及び本体情報（１）ｂが取得された後、それらに対応したラベルプリンタ３ａ，３ｂ用のテンプレートが選抜して書き込まれる。この例では、本体情報（１）ａにおける「オーディオ」「乗り物」という使用実績が上位２つのカテゴリと、本体情報（１）ｂにおける「オーディオ」「フラワー」という使用実績が上位２つのカテゴリと、の両方を満たす「オーディオ」「乗り物」「フラワー」カテゴリのテンプレートのみが選抜されて書き込まれる。なお、上記ステップＣＳ１が特許請求の範囲の供給装置側判定手順に相当し、ステップＣＳ２がコンテンツ書き込み手順に相当する。
【０１１９】
その後、図７と同様、上記「オーディオ」「乗り物」「フラワー」カテゴリのラベルプリンタ３用テンプレートが書き込まれたメモリカード３０がラベルプリンタ３ｂのカード着脱部２０８に装着されると、上記同様、ステップＭＳ４を経てステップＭＳ５に移る。ステップＭＳ５では、上記同様、ラベルプリンタ３ｂは、メモリカード３０に記憶された「オーディオ」「乗り物」「フラワー」の３つのカテゴリのテンプレートのうち、自らの本体情報（すなわちこの例では本体情報（１）ｂに対応した２つのカテゴリ「オーディオ」「フラワー」のテンプレートのみを選抜し取得する。なお、上記ステップＭＳ４が特許請求の範囲の第３作成装置側判定手順に相当し、ステップＭＳ５が第１コンテンツ取得手順に相当する。
【０１２０】
上記ステップＭＳ５の後、操作者は、カード着脱部２０８からメモリカード３０を取り外し、ラベルプリンタ３ａのカード着脱部２０８に装着する。
【０１２１】
このとき、本変形例では、前述のステップＭＳ３で本体情報（１）ａが書き込まれた後にメモリカード３０がカード着脱部２０８から取り外された後、ラベルプリンタ３ａで印字ラベルＬの作成が実行されることで（あるいは操作者の適宜の操作により）、新たに設けた上記ステップＭＳ１０で、上述の本体情報（１）ａの内容の少なくとも一部がステップＭＳ１０で変更（更新）される。この例では、前述の状態の後に「フラワー」カテゴリのテンプレートを用いた２０００回の印刷（ラベル作成）が追加で行われている。その結果、上記更新後の本体情報（１）ａ′では、印刷回数が「３１００回」となり、上位２つの使用実績は、「フラワー」カテゴリ２０００回、及び、「オーディオ」カテゴリ１０００回となっている。すなわち、ラベルプリンタ３ａは、この時点では、「フラワー」「オーディオ」カテゴリが上位２つのカテゴリに変化している。なお、上記ステップＭＳ１０が、特許請求の範囲の選抜情報更新手順に相当し、更新後の上記本体情報（１）ａ′が第３選抜材料情報に相当している。
【０１２２】
ここで、上記使用頻度が最上位の「フラワー」カテゴリについては、前述のステップＭＳ３で書き込まれたラベルプリンタ３ａの本体情報（１）ａには含まれていない。しかしながら、上述した例では、上記ステップＭＳ２においてメモリカード３０に書き込まれたラベルプリンタ３ｂの本体情報（１）ｂに、
たまたま「フラワー」カテゴリが含まれている。その結果、上記ステップＣＳ２において当該「フラワー」カテゴリのテンプレートもメモリカード３０に書き込まれ記憶されている。その結果、上記メモリカード３０の装着によりラベルプリンタ３ａにおいてステップＭＳ４の後に実行されるステップＭＳ５では、ラベルプリンタ３ａは、メモリカード３０に記憶された「オーディオ」「乗り物」「フラワー」の３つのカテゴリのテンプレートのうち、上述の更新後の本体情報（１）ａ′に対応したテンプレート（この例では、使用頻度が高い順に２つのカテゴリ「フラワー」「オーディオ」のテンプレート）を選抜し取得することができる。なお、上記ステップＭＳ４が特許請求の範囲の第４作成装置側判定手順に相当し、ステップＭＳ５が第２コンテンツ取得手順に相当する。
【０１２３】
以上のような本変形例においても、上記実施形態と同様の効果を得ることができる。また、ラベルプリンタ３ａでメモリカード３０に本体情報（１）ａを書き込んだ後に、当該本体情報（１）ａの内容が更新された場合であっても、上述したように、その更新後の本体情報（１）ａ′に対応したテンプレートがラベルプリンタ３ａで取得される。すなわち、ラベルプリンタ３ａの最新の状態に好適なテンプレートを導入することができるので、さらに利便性を向上することができる。
【０１２４】
（４）警告表示手順を実行させる場合
以上の実施形態及び（１）（２）（３）の変形例で説明したように、上述の手法を有効に行うためには、メモリカード３０を操作端末２よりも先にラベルプリンタ３（又はラベルプリンタ３′）側へ装着する必要がある。そこで、本変形例では、上記した操作端末２のＣＰＵ１２０が実行するステップＣＳ１でメモリカード３０が装着されたと判定され、かつ、その後のステップＣＳ２で本体情報が取得できなかった場合には、新たに設けた警告表示手順（図示省略）で、対応する警告表示を行うための表示制御信号を表示部１７に出力する。これにより、操作者が、ラベルプリンタ３，３′にメモリカード３０を装着することなく、誤って操作端末２のカード着脱部１６にメモリカード３０を装着した場合に、「まず先にラベルプリンタ３，３′にメモリカード３０を装着すべき」旨を警告することができる。また、この機能に対応させて（またこの機能とは別個に）、メモリカード３０を装着した際、操作端末２の上記表示部１７に、上記本体情報に対応させて書き込みが行われるテンプレートの名称や内容を表示し、適宜の「確認ボタン」等で操作者に確認をさせるようにしてもよい。
【０１２５】
（５）その他
上記の例では、コンテンツ供給装置の例として、コンテンツサーバＳＶに接続されている操作端末２を例にとって説明したが、これに限られない。すなわち、特にネットワーク接続されない状態で、多数のテンプレートを格納している大容量記憶装置等を上記コンテンツ供給装置として用い、これと上記ラベルプリンタ３やラベルプリンタ３′との間でメモリカード３０によるテンプレートの媒介を行ってもよい。この場合も同様の効果を得る。
【０１２６】
また、上記の例では、コンテンツの一例として、ラベル作成時に用いるテンプレートを例にとって説明したが、これに限られない。すなわち、その他のラベル作成に関連して使用される画像や、ＯＳやアプリケーションや各種ドライバ等のソフトウェア、などの主種のコンテンツを本発明の処理対象としてもよい。この場合も同様の効果を得る。
【０１２７】
なお、以上において、図５、図６、図７、図８等に示すシーケンス及びフローは本発明を各図に示す手順に限定するものではなく、発明の趣旨及び技術的思想を逸脱しない範囲内で手順の追加・削除又は順番の変更等をしてもよい。
【０１２８】
また、以上既に述べた以外にも、上記実施形態や各変形例による手法を適宜組み合わせて利用しても良い。
【０１２９】
その他、一々例示はしないが、本発明は、その趣旨を逸脱しない範囲内において、種々の変更が加えられて実施されるものである。
【符号の説明】
【０１３０】
１                コンテンツ処理システム
２                操作端末（コンテンツ供給装置）
３                ラベルプリンタ（印字ラベル作成装置）
３′              ラベルプリンタ（印字ラベル作成装置）
１２              ＣＰＵ（演算手段）
１３              メモリ（記憶手段）
１６              カード着脱部（供給装置側着脱部）
１７              表示部（表示手段）
３０              メモリカード（ストレージデバイス）
２０３            テープ（被印字媒体）
２０５            印字ヘッド（印字手段）
２０８            カード着脱部（作成装置側着脱部）
２０９            搬送装置（搬送手段）
Ｌ                印字ラベル
ＳＶ              コンテンツサーバ
【図１】
0006011994.tif 000002
【図２】
0006011994.tif 000003
【図３】
0006011994.tif 000004
【図４】
0006011994.tif 000005
【図５】
0006011994.tif 000006
【図６】
0006011994.tif 000007
【図７】
0006011994.tif 000008
【図８】
0006011994.tif 000009